(57)【要約】　　　（修正有）【課題】作業者のベルトのサイズに関わりなく該ベルトに安定した状態で保持できるホルダを提案する。【解決手段】携帯工具４に固定保持するブラケット２と、このブラケット２を差し込んで携帯工具１を保持するホルダ本体３からなる携帯工具用ホルダにおいて、前記ホルダ本体３の背面に長辺壁４ａと短辺壁４ｂとを組み合わせてベルトを通す偏平開口を区画するベルト通し部４を設け、このベルト通し部４に着脱自在に係合して該偏平開口の開口幅を調整するスペーサを配置する。【選択図】　　　　図１
2004066377.tif 000002
【特許請求の範囲】
【請求項１】
携帯工具に固定保持するブラケットと、このブラケットを差し込んで携帯工具を保持するホルダ本体からなり、
前記ホルダ本体の背面に長辺壁と短辺壁とを組み合わせてベルトを通す偏平開口を区画するベルト通し部を設け、このベルト通し部に着脱自在に係合して該偏平開口の開口幅を調整するスペーサを配置してなることを特徴とする携帯工具用ホルダ。
【請求項２】
スペーサは、ベルト通し部の短辺壁を挟持するベースと、このベースに固定保持されベルト通し部を通過するベルトを偏平開口内で押圧する弾性部材からなる請求項１記載の携帯工具用ホルダ。
【発明の詳細な説明】
【０００１】
【発明の属する技術分野】
本発明は、建設現場等において使用される巻き尺の如き携帯工具を着脱自在に保持するホルダに関するものであって、該ホルダを作業者のベルトに確実に装着しようとするものである。
【０００２】
【従来の技術】
巻き尺等の携帯工具は、持ち運びが容易でその使用に際して簡単に取り出すことができるよう作業者のベルトに直接引っ掛けるクリップタイプの保持機構が備えられている。
【０００３】
ところで、かかる保持機構はその挟持力が一定であることから、作業者が厚みのあるベルトを使用している場合にはその着脱が容易でなく、逆に厚みの薄いベルトを使用している場合には作業者の姿勢によってはその保持位置が簡単にずれて抜け落ちる等の不具合があった。
【０００４】
このような問題の解決を図る試みとしては、上部開放型のケースに工具を入れ込み該ケースをベルト通し部で作業者のベルトに係止する構造のものが提案されており、この点に関する先行技術としては、特許第２７５６７８３号明細書に開示されたセーフティホルダーが知られている。
【０００５】
上記のセーフティホルダーはケースのベルト通し部に偏平開口が形成されていて、この偏平開口に作業者のベルトを通すことによって係止するものであって、クリップタイプの保持機構にみられるような抜け落ち等の不具合を改善できるとされていた。
【０００６】
しかしながら、作業者が使うベルトは５０ｍｍ幅と６０ｍｍ幅の２つが主流となっており、これらのベルトの全てに対応するためにはホルダのケースに設けられるベルト通し部は幅の広いベルトに適合するように設計しなければならないところ、狭幅のベルトにこのようなベルト通し部を有するホルダを装着した場合に、ベルト通し部とベルトとの間に隙間ができるため装着姿勢が安定せず、工具の着脱に際しては、ホルダが工具とともに上又は下に動いてしまい、工具の着脱操作に支障をきたすことも懸念されている。
【０００７】
【発明が解決しようとする課題】
本発明の課題は、作業者が使用しているベルトのサイズにかかわりなしに確実に装着できる新規な携帯工具用ホルダを提案するところにある。
【０００８】
【課題を解決するための手段】
本発明は、携帯工具に固定保持するブラケットと、このブラケットを差し込んで携帯工具を保持するホルダ本体からなり、
前記ホルダ本体の背面に長辺壁と短辺壁とを組み合わせてベルトを通す偏平開口を区画するベルト通し部を設け、このベルト通し部に着脱自在に係合して該偏平開口の開口幅を調整するスペーサを配置してなることを特徴とする携帯工具用ホルダである。
【０００９】
スペーサは、ベルト通し部の短辺壁を挟持するベースと、このベースに固定保持されベルト通し部を通過するベルトを偏平開口内で押圧する弾性部材にて構成するのが好ましい。
【００１０】
【発明の実施の形態】
以下、図面を用いて本発明をより具体的に説明する。
【００１１】
図１は本発明に従う携帯工具用ホルダの構成を示したものであり、図において１は巻き尺を例として示した携帯工具、２は携帯工具１にねじ止め等の締結手段によって固定保持することができるブラケット、３はブラケット２を差し込んで携帯工具１を保持するホルダ本体である。
【００１２】
また、４はホルダ本体３の背面に一体的に設けられたベルト通し部であって、このベルト通し部４は図２にホルダ本体３の背面を示すように長辺壁４ａとこの長辺壁４ａにつながる短辺壁４ｂからなっていて、これらの組み合わせにて偏平開口Ｈを区画するようになっている。
【００１３】
また、５はベルト通し部４に着脱自在に係合して偏平開口Ｈの開口幅ｈ　を調整するスペーサである。このスペーサ５はその外観を図３に示すようにベルト通し部４の上側または下側の短辺壁４ｂをその長さ方向において挟持するベース５ａとこのベース５ａに固定保持されベルト通し部４を通過するベルトを偏平開口Ｈ内でその幅方向に押圧する弾性部材５ｂからなっている。
【００１４】
幅６０ｍｍになるベルトに装着可能なホルダにおいて例えば幅５０ｍｍのベルトに装着する場合に、ベルト通し部４にスペーサ５を配置することにより偏平開口Ｈの開口幅ｈ　に形成される隙間をなくすことができ安定した状態での保持が可能になる。
【００１５】
上掲図２ではスペーサ５のベース５ａは端面壁４ｂをその長さ方向において挟持する場合を例として示したが図４に示すように短辺壁４ｂの厚さ方向で挟み込むような形式のものでもよく、また、図５に示すようにベース５ａの側面に押しボタンを設け、この押しボタンを長辺壁４ａに設けた開口に嵌合させる構造であってもかまわない。
【００１６】
弾性部材５ｂについては、両端に向かって跳ね上がった形持ち支持になる図６に示すような形状を有するもののほか、図７に示すようなＯリング形式のもの、図８に示すようなスプリング形式のもの、あるいは図９に示すような複数の弾性舌片を有するもの等が適用できる。
【００１７】
【発明の効果】
本発明によれば、スペーサをホルダのベルト通し部に配置することで幅の狭いベルトに装着しても安定した状態での保持が可能となり携帯工具を着脱する操作を円滑に行うことができる。
【００１８】
また、スペーサはホルダのベルト通し部に嵌合させてあるだけなので簡単に取り外すことが可能で、正規のサイズになるベルトに装着する場合にも容易に対応し得る。
【図面の簡単な説明】
【図１】本発明に従うホルダの構成説明図である。
【図２】図１に示したホルダの背面を示した図である。
【図３】スペーサの外観斜視図である。
【図４】スペーサのベースの他の構造例を示した図である。
【図５】スペーサのベースの他の構造例を示した図である。
【図６】スペーサの弾性部材の他の例を示した図である。
【図７】スペーサの弾性部材の他の例を示した図である。
【図８】スペーサの弾性部材の他の例を示した図である。
【図９】スペーサの弾性部材の他の例を示した図である。
【符号の説明】
１　携帯工具
２　ブラケット
３　ホルダ本体
４　ベルト通し部
４ａ　長辺壁
４ｂ　短辺壁
５　スペーサ
５ａ　ベース
５ｂ　弾性部材
Ｈ　偏平開口
ｈ　開口幅
【図１】
2004066377.tif 000003
【図２】
2004066377.tif 000004
【図３】
2004066377.tif 000005
【図４】
2004066377.tif 000006
【図５】
2004066377.tif 000007
【図６】
2004066377.tif 000008
【図７】
2004066377.tif 000009
【図８】
2004066377.tif 000010
【図９】
2004066377.tif 000011